(57)【要約】【課題】  携帯端末の所持者の移動状況に応じてその着信音量などの設定を自動的に変更する、携帯端末を提供することを目的とする。【解決手段】  振動検出部を備えた携帯端末であって、振動検出部で検出した振動を記録する振動記録部と、予め定められた所定時間内の振動の回数を振動記録部に記録した情報に基づいて判定し、その振動の回数を用いて携帯端末の所持者の移動状況を判定する移動状況判定部と、移動状況の変化にあわせて、着信音が鳴るか鳴らないかの設定、着信音量の設定、バイブレーション機能の設定のうち、いずれか一以上を行う着信音量設定部と、を有する携帯端末である。【選択図】  図１
2007295518.tif 000002
【特許請求の範囲】
【請求項１】
振動検出部を備えた携帯端末であって、
前記振動検出部で振動を検出した時刻とその振幅とを記録する振動記録部と、
予め定められた所定時間内の振動とその振幅とを前記振動記録部から抽出し、前記振動と振幅とを用いて前記携帯端末の所持者の移動状況を判定する移動状況判定部と、
前記移動状況の変化にあわせて、着信音が鳴るか鳴らないかの設定、着信音量の設定、バイブレーション機能の設定のうち、いずれか一以上を行う着信音量設定部と、を有しており、
前記移動状況判定部は、
前記所定時間内における振動の回数を前記振動記録部に記録した情報に基づいて判定し、その振動の回数と、前記所定時間内における振幅が基準値を超えた回数とを用いて前記携帯端末の所持者の移動状況を判定する、
ことを特徴とする携帯端末。
【請求項２】
前記移動状況判定部は、
前記振動の回数に対応するポイントを選択し、前記振幅が基準値を超えた回数に対応するポイントを選択し、それらの各ポイントを演算することにより最終ポイントを算出し、
前記着信音量設定部は、
前記最終ポイントに基づいて、着信音が鳴るか鳴らないかの設定、着信音量の設定、バイブレーション機能の設定のうち、いずれか一以上を行う、
ことを特徴とする請求項１に記載の携帯端末。
【請求項３】
振動検出部を備えた携帯端末であって、
前記振動検出部で振動を検出した時刻とその振幅とを記録する振動記録部と、
予め定められた所定時間内の振動とその振幅とを前記振動記録部から抽出し、前記振動と振幅とを用いて前記携帯端末の所持者の移動状況を判定する移動状況判定部と、
前記移動状況の変化にあわせて、着信音が鳴るか鳴らないかの設定、着信音量の設定、バイブレーション機能の設定のうち、いずれか一以上を行う着信音量設定部と、を有しており、
前記移動状況判定部は、
前記所定時間内における振動の回数を前記振動記録部に記録した情報に基づいて判定し、且つ、前記所定時間における振幅が０になった時点と振幅とによって構成される、所定時間に対する任意の形状の面積を算出し、前記振動の回数と前記面積とを用いて前記携帯端末の所持者の移動状況を判定する、
ことを特徴とする携帯端末。
【請求項４】
振動検出部を備えた携帯端末であって、
前記振動検出部で振動を検出した時刻とその振幅とを記録する振動記録部と、
予め定められた所定時間内の振動とその振幅とを前記振動記録部から抽出し、前記振動と振幅とを用いて前記携帯端末の所持者の移動状況を判定する移動状況判定部と、
前記移動状況の変化にあわせて、着信音が鳴るか鳴らないかの設定、着信音量の設定、バイブレーション機能の設定のうち、いずれか一以上を行う着信音量設定部と、を有しており、
前記移動状況判定部は、
前記所定時間内における振動の回数を前記振動記録部に記録した情報に基づいて判定し、且つ、前記所定時間における単位時間と振幅とによって構成される、所定時間に対する任意の形状の面積を算出し、前記振動の回数と前記面積とを用いて前記携帯端末の所持者の移動状況を判定する、
ことを特徴とする携帯端末。
【請求項５】
前記移動状況判定部は、
前記振動の回数に対応するポイントを選択し、前記算出した面積に対応するポイントを選択し、それらの各ポイントを演算することにより最終ポイントを算出し、
前記着信音量設定部は、
前記最終ポイントに基づいて、着信音が鳴るか鳴らないかの設定、着信音量の設定、バイブレーション機能の設定のうち、いずれか一以上を行う、
ことを特徴とする請求項３または請求項４に記載の携帯端末。
【請求項６】
振動検出部を備えた携帯端末であって、
前記振動検出部で振動を検出した時刻とその振幅とを記録する振動記録部と、
予め定められた所定時間内の振動とその振幅とを前記振動記録部から抽出し、前記振動と振幅とを用いて前記携帯端末の所持者の移動状況を判定する移動状況判定部と、
前記移動状況の変化にあわせて、着信音が鳴るか鳴らないかの設定、着信音量の設定、バイブレーション機能の設定のうち、いずれか一以上を行う着信音量設定部と、を有しており、
前記移動状況判定部は、
該振動における振幅と所定数前の振動における振幅との差の絶対値の総和と、前記所定時間内における振動の回数と、を用いて前記携帯端末の前記携帯端末の所持者の移動状況を判定する、
ことを特徴とする携帯端末。
【請求項７】
前記振動の回数に対応するポイントを選択し、前記所定数前の振幅との差の絶対値の総和に対応するポイントを選択し、それらの各ポイントを演算することにより最終ポイントを算出し、
前記着信音量設定部は、
前記最終ポイントに基づいて、着信音が鳴るか鳴らないかの設定、着信音量の設定、バイブレーション機能の設定のうち、いずれか一以上を行う、
ことを特徴とする請求項６に記載の携帯端末。
【発明の詳細な説明】
【技術分野】
【０００１】
本発明は、携帯電話、ＰＨＳ、ＰＤＡなど（以下、「携帯端末」という）において、所持者の移動状況に応じてその着信音量の設定を自動的に変更する、携帯端末に関する。
【背景技術】
【０００２】
携帯端末では、携帯端末へ電話が着信したこと、或いはメールが着信したことを、その所持者に音や振動で知らせている。
【０００３】
しかし近年、公共の場所での着信音の発生やバイブレーション機能の振動に関して携帯端末の使用にかかるマナーが社会問題化しており、例えば電車内や映画館などの公共施設では電源を切ったり、音を鳴らせないようにアナウンスがされている。しかし電源を切ってしまうと、その間の電話の着信、メールの受信が行えなくなってしまうので、一般的には電源を切るのではなく、着信音量を０（オフ）にする対応を行うことが多い。この操作は、携帯端末の所持者が自分で設定を行わなければならないので、その設定を失念してしまうおそれがある。
【０００４】
そこで携帯端末の所持者の移動状況に合わせて自動的に設定の変更が行われることが好ましい。下記特許文献１及び特許文献２では、携帯端末の所持者の移動状況に合わせて携帯電話の制御を行うシステムが開示されている。
【０００５】
【特許文献１】特開２００３−２９８６９０号公報
【特許文献２】特開２００１−２０３７８３号公報
【発明の開示】
【発明が解決しようとする課題】
【０００６】
上述の特許文献に開示の発明では、例えば歩行中の携帯電話の使用を制限することは出来たとしても、電車内や映画館、会議中などの着信音を鳴らすことが好ましくない状況を判定することが出来ないので、着信音量やバイブレーション機能などの設定を変更することは出来ない。一方、電車から降りた場合や映画館から出る場合、会議が終了した場合など、つまり歩行状態の時には寧ろ着信音を鳴らしたり、バイブレーション機能による振動の発生がないと着信があったことに気づかない場合も多い。
【０００７】
つまり、所持者の状況に合わせて着信音量やバイブレーション機能の有無が自動的に設定変更されることが好ましいが、従来は所持者の状況を判定することが難しいので、このような自動的な設定変更を行うことは出来なかった。
【課題を解決するための手段】
【０００８】
本願発明者は、携帯端末の所持者の行動について考察を重ねた結果、着信音やバイブレーション機能を設定しない方が良い状態として所持者が移動していない状況が多く、一方で着信音やバイブレーション機能を設定した方が良い状態として所持者が移動している状況が多いことを知見し、それに基づいて、携帯端末の着信音量やバイブレーション機能について自動的に設定を変更する携帯端末を発明した。
【０００９】
請求項１の発明は、振動検出部を備えた携帯端末であって、前記振動検出部で振動を検出した時刻とその振幅とを記録する振動記録部と、予め定められた所定時間内の振動とその振幅とを前記振動記録部から抽出し、前記振動と振幅とを用いて前記携帯端末の所持者の移動状況を判定する移動状況判定部と、前記移動状況の変化にあわせて、着信音が鳴るか鳴らないかの設定、着信音量の設定、バイブレーション機能の設定のうち、いずれか一以上を行う着信音量設定部と、を有しており、前記移動状況判定部は、前記所定時間内における振動の回数を前記振動記録部に記録した情報に基づいて判定し、その振動の回数と、前記所定時間内における振幅が基準値を超えた回数とを用いて前記携帯端末の所持者の移動状況を判定する、携帯端末である。
【００１０】
本発明のように構成することで、携帯端末に備えた振動センサーなどで、その所持者の移動状況を判定し着信音量などの設定を自動的に変更することが可能となる。また振動のみならず、振幅も考慮することが出来る。振動の振幅は、所持者の揺れを示しているので、振幅が大きければ所持者が走っている状態であることが推測され、振幅が小さければ所持者が歩いている状態であることが推測される。走っている状態の方が歩いている状態よりも音量などが大きくないと聞こえないので、本発明のように振幅を考慮することで、着信音量などの設定を行うことが可能となる。そして振動と振幅とを用いて判定処理を行う際に、平均振幅を用いるほかに、本発明のように振幅が基準値を超えた回数により構成することも出来る。
【００１１】
請求項２の発明において、前記移動状況判定部は、前記振動の回数に対応するポイントを選択し、前記振幅が基準値を超えた回数に対応するポイントを選択し、それらの各ポイントを演算することにより最終ポイントを算出し、前記着信音量設定部は、前記最終ポイントに基づいて、着信音が鳴るか鳴らないかの設定、着信音量の設定、バイブレーション機能の設定のうち、いずれか一以上を行う、携帯端末である。
【００１２】
振動の回数と振幅が基準値を超えた回数を用いて処理を行う際に、それらをポイント化し、そのポイントに応じて着信音量などの設定を行っている。このようにすることで、より詳細な着信音量などの設定を行うことが出来る。
【００１３】
請求項３の発明は、振動検出部を備えた携帯端末であって、前記振動検出部で振動を検出した時刻とその振幅とを記録する振動記録部と、予め定められた所定時間内の振動とその振幅とを前記振動記録部から抽出し、前記振動と振幅とを用いて前記携帯端末の所持者の移動状況を判定する移動状況判定部と、前記移動状況の変化にあわせて、着信音が鳴るか鳴らないかの設定、着信音量の設定、バイブレーション機能の設定のうち、いずれか一以上を行う着信音量設定部と、を有しており、前記移動状況判定部は、前記所定時間内における振動の回数を前記振動記録部に記録した情報に基づいて判定し、且つ、前記所定時間における振幅が０になった時点と振幅とによって構成される、所定時間に対する任意の形状の面積を算出し、前記振動の回数と前記面積とを用いて前記携帯端末の所持者の移動状況を判定する、携帯端末である。
【００１４】
振動と振幅とを用いて判定処理を行う際に、平均振幅を用いるほかに、本発明のように振幅によって形成される面積を算出することにより構成することも出来る。これは例えば縦方向に振幅、横方向に時間を取った場合に、振幅によって構成される形状の面積が大きいと移動状況が激しい状態（例えば走行状態）と考えられることによる。
【００１５】
請求項４の発明は、振動検出部を備えた携帯端末であって、前記振動検出部で振動を検出した時刻とその振幅とを記録する振動記録部と、予め定められた所定時間内の振動とその振幅とを前記振動記録部から抽出し、前記振動と振幅とを用いて前記携帯端末の所持者の移動状況を判定する移動状況判定部と、前記移動状況の変化にあわせて、着信音が鳴るか鳴らないかの設定、着信音量の設定、バイブレーション機能の設定のうち、いずれか一以上を行う着信音量設定部と、を有しており、前記移動状況判定部は、前記所定時間内における振動の回数を前記振動記録部に記録した情報に基づいて判定し、且つ、前記所定時間における単位時間と振幅とによって構成される、所定時間に対する任意の形状の面積を算出し、前記振動の回数と前記面積とを用いて前記携帯端末の所持者の移動状況を判定する、携帯端末である。
【００１６】
上述と同様に面積を算出して移動状況の判定を行う場合には、本発明のように構成することも出来る。
【００１７】
請求項５の発明において、前記移動状況判定部は、前記振動の回数に対応するポイントを選択し、前記算出した面積に対応するポイントを選択し、それらの各ポイントを演算することにより最終ポイントを算出し、前記着信音量設定部は、前記最終ポイントに基づいて、着信音が鳴るか鳴らないかの設定、着信音量の設定、バイブレーション機能の設定のうち、いずれか一以上を行う、携帯端末である。
【００１８】
振動の回数と面積とを用いて処理を行う際に、それらをポイント化し、そのポイントに応じて着信音量などの設定を行っている。このようにすることで、より詳細な着信音量などの設定を行うことが出来る。
【００１９】
請求項６の発明は、振動検出部を備えた携帯端末であって、前記振動検出部で振動を検出した時刻とその振幅とを記録する振動記録部と、予め定められた所定時間内の振動とその振幅とを前記振動記録部から抽出し、前記振動と振幅とを用いて前記携帯端末の所持者の移動状況を判定する移動状況判定部と、前記移動状況の変化にあわせて、着信音が鳴るか鳴らないかの設定、着信音量の設定、バイブレーション機能の設定のうち、いずれか一以上を行う着信音量設定部と、を有しており、前記移動状況判定部は、該振動における振幅と所定数前の振動における振幅との差の絶対値の総和と、前記所定時間内における振動の回数と、を用いて前記携帯端末の前記携帯端末の所持者の移動状況を判定する、携帯端末である。
【００２０】
振動と振幅とを用いて判定処理を行う際に、平均振幅を用いるほかに、本発明のように所定数前の振動に於ける振幅との差を算出することにより構成することも出来る。振幅の差の絶対値の総和が大きい場合、携帯端末の所持者は不規則な動きを行っていると思われる。例えば移動しながら話をしていたり、何かに集中していたりしている場合には、突発的な行動が多くなる。その場合には不規則な動きになるが、大きな音量レベルやバイブレーション機能のレベルなどでないと気づかない場合があり得る。そこでこのような処理を行うことにより、上記状態でも対応することが可能となる。
【００２１】
請求項７の発明において、前記振動の回数に対応するポイントを選択し、前記所定数前の振幅との差の絶対値の総和に対応するポイントを選択し、それらの各ポイントを演算することにより最終ポイントを算出し、前記着信音量設定部は、前記最終ポイントに基づいて、着信音が鳴るか鳴らないかの設定、着信音量の設定、バイブレーション機能の設定のうち、いずれか一以上を行う、携帯端末である。
【００２２】
振動の回数と振幅の差とを用いて処理を行う際に、それらをポイント化し、そのポイントに応じて着信音量などの設定を行っている。このようにすることで、より詳細な着信音量などの設定を行うことが出来る。
【発明の効果】
【００２３】
本発明によって、携帯端末の所持者が静止していると判定される場合に着信音やバイブレーション機能を行わない設定へと自動的に変更し、携帯端末の所持者が移動していると判定される場合に着信音やバイブレーション機能を行う設定へと自動的に変更する携帯端末が可能となる。これによって、携帯端末の所持者は、着信音量やバイブレーション機能をオフにする設定を失念する懸念が減ることとなる。また振動の回数と平均振幅、振幅により算出される値などをポイント化して処理することによって、着信音量やバイブレーション機能などのレベルを考慮した設定をすることが出来る。これによって、所持者の移動状況に応じた着信音やバイブレーション機能などの設定を的確に行うことが出来る。
【発明を実施するための最良の形態】
【００２４】
本発明の携帯端末１のシステム構成の一例を図１に示す。本発明の携帯端末１は、携帯端末１の所持者の振動を検出する振動センサー２を備えている。振動センサー２が検出した振動は、その時刻と共に、振動記録部３に記録される。また好適には振幅も記録することが好ましい。振動記録部３に記録した振動は所定時間経過後、削除されることが良い。図３に振動記録部３に記録された情報の一例を示す。
【００２５】
なお本明細書では振動センサー２を備えた携帯端末１を説明するが、振動センサー２を他の機能の一部として携帯端末１に備えていても良い。例えば歩数計機能を備えた携帯端末１における歩数計機能を実現する振動センサー２を本発明に用いても良い。また振動センサー２は、振動の発生の有無を検出する機能だけであっても良いし、その振幅も検出する機能を有していても良い。また振幅とは、振動センサー２を備えた携帯端末の揺れの幅であり、垂直方向、斜め方向など任意の方向の揺れが含まれる。また振動センサー２以外の機構により振動を検出する振動検出部（図示せず）を携帯端末１に備えることとしても良い。
【００２６】
移動状況判定部４は、振動センサー２で検出した振動の振動の回数と振幅とに基づいて、携帯端末１の着信音量に対応するポイントを算出する。例えば振動を検出した時点から所定時間前（例えば１０秒間）の振動の回数と振幅を振動記録部３から抽出し、振動の回数と、振幅の平均値を算出することにより、ポイントを算出する。なお振動の回数と振幅とに基づいて判定することが好ましいが、振動の回数のみで判定しても良い。振動の回数のみで判定を行う場合には、振幅の記録は不要となる。振動の回数と平均振幅に対して与えられるポイントの概念図を図４（ａ）に、移動状況判定部４の判定処理の概念を模式化した図を図４（ｂ）に示す。
【００２７】
図４では、振動の回数と、振幅の平均値とを各々ポイント化し、それらを加算することによって、着信音量の設定を行っている。この場合、振動の回数を４段階に分け、振動検出時点から１０秒以前の振動の回数が「０〜１５」の時には「０ポイント」、「１６〜３０」の時には「１ポイント」、「３１〜４５」の時には「２ポイント」、「４６以上」の時には「４ポイント」とする（図４（ａ）左図）。
【００２８】
また、振動検出時点から１０秒以前の振動における振幅の平均値を３段階に分け、「０ｃｍ〜１ｃｍ未満」を「０ポイント」、「１ｃｍ〜５ｃｍ未満」を「１ポイント」、「５ｃｍ以上」を「２ポイント」とする（図４（ａ）右図）。
【００２９】
そして振動の回数で選択されたポイントと、平均振幅で選択されたポイントとを合計し、その最終ポイントを着信音量設定部５に渡す。なお図４に示した場合では、最終ポイントの算出にあたっては振動の回数が一定数以下（例えば「１５以下」）、一定数以上（例えば「４６以上」）の場合には、平均振幅は計算の対象としなくても良い。図４の場合、振動の回数が「１５以下」は平均振幅で与えられるポイントを計算の対象とせず、最終ポイントは振動の回数のポイント「０」として与えられ、振動の回数が「４６以上」も平均振幅で与えられるポイントを計算の対象とせず、最終ポイントは振動の回数のポイント「４」として与えられるように構成することも出来る。
【００３０】
例えば振動の回数が「３９」で平均振幅が「４．２ｃｍ」の場合、振動の回数として「２ポイント」、平均振幅として「１ポイント」が選択されるので、最終ポイントは「３ポイント」となる。移動状況設定部は「３ポイント」を着信音量設定部５に渡す。
【００３１】
また振動の回数が「２５」で平均振幅が「０．５ｃｍ」の場合、振動の回数として「１ポイント」、平均振幅として「０ポイント」が選択されるので、最終ポイントは「１ポイント」となる。移動状況設定部は「１ポイント」を着信音量設定部５に渡す。
【００３２】
また振動の回数が「１２」の場合には振動の回数が「１５以下」なので平均振幅は考慮しない。従って最終ポイントは振動の回数「１２」によって与えられる「０ポイント」となる。移動状況設定部は「０ポイント」を着信音量設定部５に渡す。
【００３３】
また振動の回数が「５９」の場合には振動の回数が「４６以上」なので平均振幅は考慮しない。従って最終ポイントは振動の回数「５９」によって与えられる「４ポイント」となる。移動状況設定部は「４ポイント」を着信音量設定部５に渡す。
【００３４】
着信音量設定部５は、移動状況判定部４で判定した所持者の移動状況（移動状況判定部４で算出した最終ポイント）に基づいて、着信音量の設定を行い、それを記憶させる。着信音量の設定としては、携帯端末１毎に異なる音量設定が設けられており、それに応じた設定で行うと良い。なお本明細書では携帯端末１の音量設定は、音量０（着信音ＯＦＦの状態）、音量１、音量２、音量３、音量４の５段階の場合を説明するが、携帯端末１に応じて適宜変更することが出来る。例えば移動状況設定部から受け取った最終ポイントが「０ポイント」の時には「音量０」として設定し、「１ポイント」の時には「音量１」、「２ポイント」の時には「音量２」、「３ポイント」の時には「音量３」、「４ポイント以上」の時には「音量４」を設定する。これを模式的に示すのが図５である。
【００３５】
なお本発明の携帯端末１では図示をしないが、通話をする機能、電子メールの送受信をする機能、インターネットを利用する機能など、通常の携帯端末１が備える機能を備えている。また電話の着信、電子メールの受信などを検出することによって、携帯端末１は、所定の記憶領域に記憶した、着信音量設定部５で設定した音量に基づいて、その音量で所持者に通知を行う（着信音を鳴らすなど）。
【実施例１】
【００３６】
次に本発明の携帯端末１の実施態様を図２のフローチャートを用いて説明する。
【００３７】
携帯端末１には振動センサー２が備えられているので、携帯端末１の所持者が移動することによって（振動が発生することによって）、振動センサー２がその振動を検出する（Ｓ１００）。この振動があったことは、逐次、振動記録部３に記録される。振動記録部３には、振動を検出した時刻、その振幅が図３に示すように記録される。
【００３８】
振動を検出した時刻が「１０時３１分１９秒８５」であったとする。そうすると、移動状況設定部は、振動を検出した時刻から所定時間前までの振動の回数と、その各振動における振幅とを振動記録部３から抽出する（Ｓ１１０）。所定時間が１０秒であったとすると、振動を検出した時刻が「１０時３１分１９秒８５」なので「１０時３１分０９秒８５」から「１０時３１分１９秒８５」までの振動の回数と、その各振動における振幅とを抽出する。
【００３９】
振動の回数については、記録されている時刻数など記録されている情報をカウントすれば判定できる。図３の場合には振動の回数は「１９」と判定できる。従って振動の回数について「１ポイント」が選択される。
【００４０】
また振動の回数が「１９」なので、平均振幅の算出も行う。これは１９回の振動に対する振幅に基づいて、移動状況判定部４は所定時間分の振幅の平均値を算出する。図３の場合、平均振幅は「３．７４ｃｍ」となる。従って平均振幅について「１ポイント」が選択される。
【００４１】
移動状況判定部４は、振動の回数により選択されたポイントと、平均振幅により選択されたポイントとを加算して最終ポイントを算出する（Ｓ１２０）。上述の場合、移動状況判定部４は、最終ポイントとして「２ポイント」を算出して、それを着信音量設定部５に渡す。
【００４２】
着信音量設定部５は、最終ポイントとして「２ポイント」を移動状況判定部４から受け取り、携帯端末１における現在の音量設定と対比させる。この場合、最終ポイント「２ポイント」は「音量２」と対応しているので、既に携帯端末１の音量設定が「音量２」であるかを判定し（Ｓ１３０）、「音量２」として設定されていない場合には、携帯端末１の着信音量を「音量２」に設定を変更する（Ｓ１４０）。一方、既に「音量２」として設定されている場合には着信音量を変更する必要はない。
【００４３】
なおＳ１１０及びＳ１２０において、例えば振動の回数が「１４」の場合には振幅によるポイントは計算対象としないので、振動の回数「１４」によるポイント「０」を最終ポイントとして、移動状況判定部４が着信音量設定部５に渡す。これを受け取った着信音量設定部５は、現在の音量設定が「音量０」であるかを判定し（Ｓ１３０）、「音量０」として設定されていない場合には、携帯端末１の着信音量を「音量０」に設定を変更する（Ｓ１４０）。一方、既に「音量０」として設定されている場合には着信音量を変更する必要はない。
【００４４】
またＳ１１０及びＳ１２０において、例えば振動の回数が「７２」の場合には振幅によるポイントは計算対象としないので、振動の回数「７２」によるポイント「４」を最終ポイントとして、移動状況判定部４が着信音量設定部５に渡す。これを受け取った着信音量設定部５は、現在の音量設定が「音量４」であるかを判定し（Ｓ１３０）、「音量４」として設定されていない場合には、携帯端末１の着信音量を「音量４」に設定を変更する（Ｓ１４０）。一方、既に「音量４」として設定されている場合には着信音量を変更する必要はない。
【００４５】
またＳ１１０及びＳ１２０において、例えば振動の回数が「３９」の場合には振動によるポイントとして「２ポイント」が与えられる。そして振動の回数「３９」は平均振幅によるポイントも計算の対象となるので、平均振幅を算出する。この平均振幅が「４．３ｃｍ」であったとする。そうすると平均振幅によるポイントは「１ポイント」となる。従って最終ポイントは「３ポイント」となり、移動状況判定部４は「３ポイント」を着信音量設定部５に渡す。これを受け取った着信音量設定部５は、現在の音量設定が「音量３」であるかを判定し（Ｓ１３０）、「音量３」として設定されていない場合には、携帯端末１の着信音量を「音量３」に設定を変更する（Ｓ１４０）。一方、既に「音量３」として設定されている場合には着信音量を変更する必要はない。
【００４６】
以上のように振動が検出されることによって、検出時点より所定時間前の振動の回数と平均振幅とに基づいて、着信音量を変更することで、自動的に着信音量の設定を変更することが出来る。つまり映画館や電車内などでは、携帯端末１の所持者は移動をしないことが多く、停止状態であることから、振動を検出しない。その為、自動的に着信音量を「音量０」に設定することが出来る。一方、携帯端末１の所持者が歩いていたり、走っている場合には振動を検出するので、音が鳴るように設定することが出来る。また振動の回数と平均振幅とを各々ポイント化して処理することで、単に音が鳴るように設定させるだけではなく、音量のレベルを変更することも出来る。
【００４７】
なお本明細書では着信音量の設定を対象としたが、バイブレーション機能を対象としても良い。即ち、音量「０」の設定の場合にはバイブレーション機能を「ＯＦＦ」にし、音量「１」以上の場合にはバイブレーション機能を「ＯＮ」にするように構成することも出来る。本実施例では移動状況判定部４で振幅を用いた処理を行う際に、平均振幅を算出したが、平均以外にも偏差や分散を用いても良い。また平均には相加平均の他、相乗平均、調和平均、加重平均などの他の平均も含まれる。
【実施例２】
【００４８】
携帯端末１の移動状況判定部４の処理において、上述の実施例では振動記録部３に記録した振動と振幅とを抽出し、振動の回数と平均振幅とを用いて処理を行ったが、それ以外の方法によっても、携帯端末１の所持者の移動状況を判定することも出来る。
【００４９】
まず他の処理方法の第１の方法としては、移動状況判定部４が、例えば振動を検出した時点から所定時間前（例えば１０秒間）の振動と振幅を振動記録部３から抽出し、それらの回数とに基づいて判定を行う。この場合の判定の概念図を図６に模式的に示す。
【００５０】
例えば判定の基準が図６のような場合を説明する。移動状況判定部４は、振動記録部３から１０秒間の振動と振幅を抽出する。そしてその１０秒間の振動において、振動の回数と、その振動に対応する振幅が基準値（これは予め設定されている）以上（または基準値を超えた）となった回数をカウントする。そしてその基準値を超えた振幅の回数が、予め定めた一定回数以上（または一定回数より多い）であるかを判定する。
【００５１】
振動の回数が１０回の場合、振幅が基準値以上となった回数は処理対象とはしない。その為、判定としては「停止状態」と判定される。
【００５２】
また振動の回数が２０回で、振幅が基準値を超えた回数が１０回であり、それと比較する一定回数が例えば１５回であったとする。そうすると、図６の場合では、判定として「歩行状態」と判定される。
【００５３】
また振動の回数が４０回で、振幅が基準値を超えた回数が２５回であり、それと比較する一定回数が例えば１５回であったとする。そうすると、図６の場合では、判定として「走行状態」と判定される。
【００５４】
そして振動の回数が５０回の場合、振幅が基準値以上となった回数は処理対象とはしない。その為、判定としては「走行状態」と判定される。
【００５５】
上述の処理について、図７に示すようにポイントを用いて処理を行っても良い。このようなポイントを用いることによって、音量などの詳細なレベルの設定も可能となる。
【００５６】
図７（ａ）は振動の回数とポイント、図７（ｂ）は振幅の回数とポイント、図７（ｃ）は最終ポイントと移動状況の判定とを模式的に示すものである。
【００５７】
移動状況判定部４が振動記録部３から抽出した振動の回数が１０回の場合、「０ポイント」が付与される。また振幅が基準値以上となった回数は処理対象としない。その為、振動の回数により付与されたポイントと、振幅が基準値以上となった回数により付与されたポイントとの合計である最終ポイントとしては「０ポイント」となり、判定としては「停止状態」と判定される。
【００５８】
また振動の回数が２０回で、振幅が基準値を超えた回数が１０回であり、それと比較する一定回数が１５回であったとする。そうすると、振動の回数により付与されたポイントは「１ポイント」である。また振幅が基準値を超えた回数は一定回数未満なので、それにより付与されたポイントは「０ポイント」である。従って最終ポイントは「１ポイント」となり、判定としては「歩行状態」と判定される。
【００５９】
また振動の回数が４０回で、振幅が基準値を超えた回数が２５回であり、それと比較する一定回数が１５回であったとする。そうすると、振動の回数により付与されたポイントは「１ポイント」である。また振幅が基準値を超えた回数は一定回数以上なので、それにより付与されたポイントは「１ポイント」である。従って最終ポイントは「２ポイント」となり、判定としては「走行状態」と判定される。
【００６０】
そして振動の回数が５０回の場合、振動の回数により付与されるポイントは「２ポイント」となる。また振幅が基準値以上となった回数は処理対象とはしない。その為、振動の回数により付与されたポイントと、振幅が基準値以上となった回数により付与されたポイントとの合計である最終ポイントとしては「２ポイント」となり、判定としては「走行状態」と判定される。
【００６１】
なお移動状況判定部４は、実施例１と同様に、判定した移動状況を着信音量設定部５に渡すほか、最終ポイントを渡しても良い。最終ポイントを渡すことによって、実施例１と同様にその最終ポイントに対応した音量レベル、バイブレーション機能の設定、着信音が鳴るか鳴らないかの設定を行うことが出来る。例えば音量レベルやバイブレーション機能のレベルが３段階の場合、その最終ポイントにあわせたレベルで設定すると良いし、最終ポイントが所定値以上（または、より大きい）の場合には着信音を鳴る設定とし、所定値未満（または、以下）の場合には着信音を鳴らない設定とすることも出来る。このようにポイントを何段階にするかは、音量レベルやバイブレーション機能のレベルにあわせて適宜、設定すればよい。
【実施例３】
【００６２】
移動状況判定部４における他の処理の第２の方法は、振幅と時間との関係に基づいて判定の処理を行うものである。つまり、所定時間において、振幅が０になった時点をｘ軸に用いて、その時点の間隔と振幅とによって構成される任意の形状（三角形以上の多角形を含む）の面積を算出することによって、振幅の程度を判定し、移動状況を判定する方法である。図８にその概念図を模式的に示し、図９にその判定の模式図を示す。
【００６３】
移動状況判定部４が、例えば振動を検出した時点から所定時間前（例えば１０秒間）の振動と振幅を振動記録部３から抽出する。この際に、振幅が０となった時点を判定する。図８では振幅が０になった時点はｔ１からｔ８である。なお振幅が０になった時点は、常に振幅の状態を振動記録部３に記録している場合には、振幅が０の時刻を用いることが出来るし、振動があった場合にその振幅を振動記録部３に記録しているだけの場合には、振幅を検出した時点の前後の所定微小時間を、振幅が０の時点として用いても良い。
【００６４】
そして所定時間内に発生した振動に対する振幅を面積として移動状況判定部４は算出する。例えば図８の場合、ｔ１からｔ８が振幅は０の時点なので、それらの間隔とその間の振幅とによって構成される形状の面積を算出する。この面積は図８では三角形の面積を算出している。また振幅が０の間は、各々１回ずつの振動が発生している場合である。従って、
面積Ｓｉ＝間隔（ｔｉ−ｔｉ−１）×振幅ｈｉ÷２
によって一つの間隔あたりの面積Ｓｉを算出し、それらを所定時間分、合計することによって、振幅の大きさを評価し、携帯端末１の所持者の移動状況を判定することが出来る。
【００６５】
図８では三角形の面積を算出するようにしているが、その他にも長方形、任意の多角形としてもよい。これは振幅が０にならないで、連続的に振動が発生している場合にはこのような形状となることが多い。このように、所定時間分の、振幅が０になった時点の間隔と振幅徒によって構成される任意の形状（三角形以上の多角形を含む）の面積を算出することによって、振幅の程度を判定し、移動状況を判定することも出来る。
【００６６】
例えば移動状況判定部４は、振動記録部３から１０秒間の振動の回数とそれらの振幅とを抽出する。そして振動の回数が１０回の場合、振幅による面積は処理対象とはしない。その為、判定としては「停止状態」と判定される。
【００６７】
また振動の回数が２０回で、振幅における所定値が３０であったとする。そして振幅により算出された所定時間分の面積が２８であったとする。そうすると図９の場合では、判定としては「歩行状態」と判定される。
【００６８】
また振動の回数が４０回で、振幅における所定値が３０であったとする。そして振幅により算出された所定時間分の面積が４８であったとする。そうすると図９の場合では、判定としては「走行状態」と判定される。
【００６９】
そして振動の回数が５０回の場合、振幅による面積は処理対象とはしない。その為、判定としては「走行状態」と判定される。
【００７０】
なお、所定時間において、振幅が０になる間に複数の振動がある場合には、図１５に示すように、面積を求める対象となる形状が多角形になる場合もある。この場合には、振幅が０になった時点をｘ軸に用いて、その時点の間隔と振幅とによって構成される任意の形状の面積を算出する場合であっても良い。図１５にその概念図を模式的に示す。図１５に示す場合では、ｔ０、ｔ１、ｔ２、ｔ３、ｔ４、ｔ５の時点が振幅が０になった時点を示しており、（ｔ０，ｈ１，ｔ１）により構成される形状、（ｔ１，ｈ３，ｈ４，ｈ５，ｈ６，ｈ７，ｔ２）により構成される形状、（ｔ２，ｈ９，ｈ１０，ｈ１１，ｈ１２，ｈ１３，ｈ１４，ｈ１５，ｈ１６，ｈ１７，ｔ３）により構成される形状、（ｔ３，ｈ１９，ｈ２０，ｈ２１，ｔ４）により構成される形状、（ｔ４，ｈ２３，ｔ５）により構成される形状の面積を求めても良い。
【００７１】
上述の振動の程度を判定する処理について、図１０に示すようにポイントを用いて処理を行っても良い。このようなポイントを用いることによって、音量などの詳細なレベルの設定も可能となる。
【００７２】
図１０（ａ）は振動の回数とポイント、図１０（ｂ）は面積とポイント、図１０（ｃ）は最終ポイントと移動状況の判定とを模式的に示すものである。
【００７３】
例えば移動状況判定部４は、振動記録部３から１０秒間の振動の回数とそれらの振幅とを抽出する。そして振動の回数が１０回の場合、振動の回数により付与されるポイントは「０ポイント」となり、振幅による面積は処理対象とはしない。その為、振動の回数により付与されるポイントと、振幅の面積により付与されるポイントとの最終ポイントは、「０ポイント」となり、判定としては「停止状態」と判定される。
【００７４】
また振動の回数が２０回で、振幅における所定値が３０であったとする。そして振幅により算出された所定時間分の面積が２８であったとする。そうすると図９の場合では、振動の回数により付与されるポイントは「１ポイント」であり、振幅の面積により付与されるポイントは「０ポイント」となる。そのため最終ポイントは「１ポイント」なので、判定としては「歩行状態」と判定される。
【００７５】
また振動の回数が４０回で、振幅における所定値が３０であったとする。そして振幅により算出された所定時間分の面積が４８であったとする。そうすると図９の場合では、振動の回数により付与されるポイントは「１ポイント」であり、振幅の面積により付与されるポイントは「１ポイント」となる。そのため最終ポイントは「２ポイント」なので、判定としては「走行状態」と判定される。
【００７６】
そして振動の回数が５０回の場合、振動の回数により付与されるポイントは「２ポイント」となり、振幅による面積は処理対象とはしない。その為、振動の回数により付与されるポイントと、振幅の面積により付与されるポイントとの最終ポイントは、「２ポイント」となり、判定としては「走行状態」と判定される。
【００７７】
なお移動状況判定部４は、実施例１、実施例２と同様に、判定した移動状況を着信音量設定部５に渡すほか、最終ポイントを渡しても良い。最終ポイントを渡すことによって、実施例１と同様にその最終ポイントに対応した音量レベル、バイブレーション機能の設定、着信音が鳴るか鳴らないかの設定を行うことが出来る。例えば音量レベルやバイブレーション機能のレベルが３段階の場合、その最終ポイントにあわせたレベルで設定すると良いし、最終ポイントが所定値以上（または、より大きい）の場合には着信音を鳴る設定とし、所定値未満（または、以下）の場合には着信音を鳴らない設定とすることも出来る。このようにポイントを何段階にするかは、音量レベルやバイブレーション機能のレベルにあわせて適宜、設定すればよい。
【００７８】
上述では振幅が０になった時点の間隔と振幅とによって構成される形状の面積を算出したが、所定時間分の、単位時間と振幅とによって構成される任意の形状（三角形以上の多角形を含む）の面積を算出することによって、振幅の程度を判定し、移動状況を判定するように構成しても良い。図１４にその場合の概念図を模式的に示す。
【００７９】
この場合、移動状況判定部４が、例えば振動を検出した時点から所定時間前（例えば１０秒間）の振動と振幅を振動記録部３から抽出する。この際に、所定時間は、所定の単位時間（例えば０．１秒ごと、０．５秒ごと、１秒ごと、あるいは微小時間などの任意の時間。なお所定時間＝単位時間としても良い）に分けられる。そしてその単位時間内に発生した振動に対する振幅を面積として移動状況判定部４は算出する。例えば図１４の場合、所定時間は、ｐ１からｐ８の単位時間に分割され、その各単位時間において各々１回ずつの振動が発生している。
【００８０】
そのため、各単位時間あたりの面積を算出する。この面積は図１４では三角形の面積を算出している。従って、
面積Ｓｉ＝単位時間ｐｉ×振幅ｈｉ÷２
によって単位時間ｐｉあたりの面積Ｓｉを算出し、それらを所定時間分、合計することによって、振幅の大きさを判定し、携帯端末１の所持者の移動状況を判定することが出来る。またこの面積とポイントとを対応させて処理を行うことが出来るのも上述と同様である。
【００８１】
図１４では三角形の面積を算出するようにしているが、その他にも長方形や任意の多角形であっても良い。特に単位時間を１秒のように長い時間として設定していると、その単位時間内に複数の振動が発生しうる。そうするとこの面積は多角形となるので、当該単位時間に於ける面積は多角形となる。このように、所定時間分の、単位時間と振幅とによって構成される、任意の形状（三角形以上の多角形を含む）の面積を算出することによって、振幅の程度を判定し、移動状況を判定することも出来る。
【実施例４】
【００８２】
移動状況判定部４における他の処理の第３の方法は、所定時間内の振動に対する振幅において、前回の振幅との差（一つ前の振幅のみならず、任意に設定可能である）の絶対値を算出し、それらの値の合計を算出することで、振幅の程度を判定し、移動状況を判定する方法である。これは、振幅の差の総和が大きいほど、不規則な動きが大きいと考えられる。不規則な動きをしているときは、移動しながら話していたり、何かに集中していたりしていると思われ、大きな音量レベルやバイブレーション機能のレベル、着信音を鳴らすか鳴らさないかの設定の方が、気づきやすいと考えられる。図１１にその概念図を模式的に示し、図１２にその判定を模式的に示す。
【００８３】
例えば判定の基準が図１２のような場合を説明する。移動状況判定部４は、振動記録部３から例えば、１０秒間の振動の回数または振幅の回数を抽出する。そして各振動について、前回の振動における振幅との差の絶対値を算出し、その絶対値の総和を算出する。
【００８４】
そして振動の回数が１０回の場合、振幅の差の絶対値の総和は処理対象とはしない。その為、判定としては「停止状態」と判定される。
【００８５】
また振動の回数が２０回で、振幅の差の絶対値の総和に対する所定値が５０であったとする。そして移動状況判定部４が抽出した所定時間分の振幅において、振幅の差の絶対値の総和が３５であったとする。そうすると、図１２の場合では、判定としては「歩行状態」と判定される。
【００８６】
また振動の回数が４０回で、振幅の差の絶対値の総和に対する所定値が５０であったとする。そして移動状況判定部４が抽出した所定時間分の振幅において、振幅の差の絶対値の総和が８０であったとする。そうすると、図１２の場合では、判定としては「走行状態」と判定される。
【００８７】
そして振動の回数が５０回の場合、振幅の差の絶対値の総和は処理対象とはしない。その為、判定としては「走行状態」と判定される。
【００８８】
上述の処理について、図１３に示すようにポイントを用いて処理を行っても良い。このようなポイントを用いることによって、音量などの詳細なレベルの設定も可能となる。
【００８９】
図１３（ａ）は振動の回数とポイント、図１３（ｂ）は振幅の際の絶対値の総和とポイント、図１３（ｃ）は最終ポイントと移動状況の判定とを模式的に示すものである。
【００９０】
上述の場合と同様に、振動の回数が１０回の場合、振動の回数により付与されるポイントは「０ポイント」となる。そして振幅の差の絶対値の総和は処理対象とはしない。その為、振動の回数により付与されるポイントと、振幅の差の絶対値の総和により付与されるポイントとにより算出される最終ポイントは「０ポイント」となり、判定としては「停止状態」と判定される。
【００９１】
また振動の回数が２０回で、振幅の差の絶対値の総和に対する所定値が５０であったとする。そして移動状況判定部４が抽出した所定時間分の振幅において、振幅の差の絶対値の総和が３５であったとする。そうすると、図１２の場合では、振動の回数により付与されるポイントは「１ポイント」となり、振幅の差の絶対値の総和により付与されるポイントは「０ポイント」となる。その為、最終ポイントは「１ポイント」となり、判定としては「歩行状態」と判定される。
【００９２】
また振動の回数が４０回で、振幅の差の絶対値の総和に対する所定値が５０であったとする。そして移動状況判定部４が抽出した所定時間分の振幅において、振幅の差の絶対値の総和が８０であったとする。そうすると、図１２の場合では、振動の回数により付与されるポイントは「１ポイント」となり、振幅の差の絶対値の総和により付与されるポイントは「１ポイント」となる。その為、最終ポイントは「２ポイント」となり、判定としては「走行状態」と判定される。
【００９３】
そして振動の回数が５０回の場合、振動の回数により付与されるポイントは「２ポイント」となる。そして振幅の差の絶対値の総和は処理対象とはしない。その為、振動の回数により付与されるポイントと、振幅の差の絶対値の総和により付与されるポイントとにより算出される最終ポイントは「２ポイント」となり、判定としては「走行状態」と判定される。
【００９４】
なお移動状況判定部４は、実施例１乃至実施例３と同様に、判定した移動状況を着信音量設定部５に渡すほか、最終ポイントを渡しても良い。最終ポイントを渡すことによって、実施例１と同様にその最終ポイントに対応した音量レベル、バイブレーション機能の設定、着信音が鳴るか鳴らないかの設定を行うことが出来る。例えば音量レベルやバイブレーション機能のレベルが３段階の場合、その最終ポイントにあわせたレベルで設定すると良いし、最終ポイントが所定値以上（または、より大きい）の場合には着信音を鳴る設定とし、所定値未満（または、以下）の場合には着信音を鳴らない設定とすることも出来る。このようにポイントを何段階にするかは、音量レベルやバイブレーション機能のレベルにあわせて適宜、設定すればよい。
【００９５】
なお実施例１から実施例４において、振動の回数が予め定められた値以下（または未満）、振動の回数が予め定められた値以上（またはその値より多い）場合には、振幅に関する処理をしないように構成しているが、勿論振幅に関する処理を行っても良いことは言うまでもない。また実施例１から実施例４において、振動を検出した時点から所定時間前の振動、振幅を振動記録部３から抽出した場合を示しているが、任意の時点から所定時間前の振動、振幅を振動記録部３から抽出することでも良い。
【産業上の利用可能性】
【００９６】
本発明によって、携帯端末の所持者が静止していると判定される場合に着信音やバイブレーション機能を行わない設定へと自動的に変更し、携帯端末の所持者が移動していると判定される場合に着信音やバイブレーション機能を行う設定へと自動的に変更する携帯端末が可能となる。これによって、携帯端末の所持者は、着信音量やバイブレーション機能をオフにする設定を失念する懸念が減ることとなる。また振動の回数と平均振幅、振幅により算出される値などをポイント化して処理することによって、着信音量やバイブレーション機能などのレベルを考慮した設定をすることが出来る。これによって、所持者の移動状況に応じた着信音やバイブレーション機能などの設定を的確に行うことが出来る。
【図面の簡単な説明】
【００９７】
【図１】本発明の携帯端末のシステム構成の一例を示す概念図である。
【図２】本発明の処理プロセスの一例を示すフローチャートである。
【図３】振動記録部における振動を検出した時刻と振幅の一例である。
【図４】移動状況判定部における判定処理を模式的に示した一例である。
【図５】最終ポイントと着信音量との対応関係を模式的に示した一例である。
【図６】実施例２の移動状況の判定処理を模式的に示した図である。
【図７】実施例２の判定処理におけるポイントの関係を模式的に示した図である。
【図８】実施例３の概念を模式的に示した図である。
【図９】実施例３の移動状況の判定処理を模式的に示した図である。
【図１０】実施例３の判定処理におけるポイントの関係を模式的に示した図である。
【図１１】実施例４の概念を模式的に示した図である。
【図１２】実施例４の移動状況の判定処理を模式的に示した図である。
【図１３】実施例４の判定処理におけるポイントの関係を模式的に示した図である。
【図１４】実施例３における面積の他の算出方法の概念を模式的に示した図である。
【図１５】実施例３における面積の他の算出方法の概念を模式的に示した図である。
【符号の説明】
【００９８】
１：携帯端末
２：振動センサー
３：振動記録部
４：移動状況判定部
５：着信音量設定部
【図１】
2007295518.tif 000003
【図２】
2007295518.tif 000004
【図３】
2007295518.tif 000005
【図４】
2007295518.tif 000006
【図５】
2007295518.tif 000007
【図６】
2007295518.tif 000008
【図７】
2007295518.tif 000009
【図８】
2007295518.tif 000010
【図９】
2007295518.tif 000011
【図１０】
2007295518.tif 000012
【図１１】
2007295518.tif 000013
【図１２】
2007295518.tif 000014
【図１３】
2007295518.tif 000015
【図１４】
2007295518.tif 000016
【図１５】
2007295518.tif 000017
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
振動検出部を備えた携帯端末であって、
前記振動検出部で振動を検出した時刻とその振幅とを記録する振動記録部と、
予め定められた所定時間内の振動とその振幅とを前記振動記録部から抽出し、前記所定時間内における振動の回数を前記振動記録部に記録した情報に基づいて判定し、その振動の回数と前記所定時間内における振幅が基準値を超えた回数の双方を用いて前記携帯端末の所持者の移動状況を判定する移動状況判定部と、
前記移動状況の変化にあわせて、着信音が鳴るか鳴らないかの設定、着信音量の設定、バイブレーション機能の設定のうち、いずれか一以上を行う着信音量設定部と、
を有することを特徴とする携帯端末。
【請求項２】
前記移動状況判定部は、
前記振動の回数に対応するポイントを選択し、前記振幅が基準値を超えた回数に対応するポイントを選択し、それらの各ポイントを演算することにより最終ポイントを算出し、
前記着信音量設定部は、
前記最終ポイントに基づいて、着信音が鳴るか鳴らないかの設定、着信音量の設定、バイブレーション機能の設定のうち、いずれか一以上を行う、
ことを特徴とする請求項１に記載の携帯端末。
【請求項３】
振動検出部を備えた携帯端末であって、
前記振動検出部で振動を検出した時刻とその振幅とを記録する振動記録部と、
予め定められた所定時間内の振動とその振幅とを前記振動記録部から抽出し、前記所定時間内における振動の回数を前記振動記録部に記録した情報に基づいて判定し、且つ、前記所定時間における振幅が０になった時点と振幅とによって構成される、所定時間に対する任意の形状の面積を算出し、前記振動の回数と前記面積とを用いて前記携帯端末の所持者の移動状況を判定する移動状況判定部と、
前記移動状況の変化にあわせて、着信音が鳴るか鳴らないかの設定、着信音量の設定、バイブレーション機能の設定のうち、いずれか一以上を行う着信音量設定部と、
を有することを特徴とする携帯端末。
【請求項４】
振動検出部を備えた携帯端末であって、
前記振動検出部で振動を検出した時刻とその振幅とを記録する振動記録部と、
予め定められた所定時間内の振動とその振幅とを前記振動記録部から抽出し、前記所定時間内における振動の回数を前記振動記録部に記録した情報に基づいて判定し、且つ、前記所定時間における単位時間と振幅とによって構成される、所定時間に対する任意の形状の面積を算出し、前記振動の回数と前記面積とを用いて前記携帯端末の所持者の移動状況を判定する移動状況判定部と、
前記移動状況の変化にあわせて、着信音が鳴るか鳴らないかの設定、着信音量の設定、バイブレーション機能の設定のうち、いずれか一以上を行う着信音量設定部と、
を有することを特徴とする携帯端末。
【請求項５】
前記移動状況判定部は、
前記振動の回数に対応するポイントを選択し、前記算出した面積に対応するポイントを選択し、それらの各ポイントを演算することにより最終ポイントを算出し、
前記着信音量設定部は、
前記最終ポイントに基づいて、着信音が鳴るか鳴らないかの設定、着信音量の設定、バイブレーション機能の設定のうち、いずれか一以上を行う、
ことを特徴とする請求項３または請求項４に記載の携帯端末。
【請求項６】
振動検出部を備えた携帯端末であって、
前記振動検出部で振動を検出した時刻とその振幅とを記録する振動記録部と、
予め定められた所定時間内の振動とその振幅とを前記振動記録部から抽出し、該振動における振幅と所定数前の振動における振幅との差の絶対値の総和と、前記所定時間内における振動の回数と、を用いて前記携帯端末の前記携帯端末の所持者の移動状況を判定する移動状況判定部と、
前記移動状況の変化にあわせて、着信音が鳴るか鳴らないかの設定、着信音量の設定、バイブレーション機能の設定のうち、いずれか一以上を行う着信音量設定部と、
を有することを特徴とする携帯端末。
【請求項７】
前記振動の回数に対応するポイントを選択し、前記所定数前の振幅との差の絶対値の総和に対応するポイントを選択し、それらの各ポイントを演算することにより最終ポイントを算出し、
前記着信音量設定部は、
前記最終ポイントに基づいて、着信音が鳴るか鳴らないかの設定、着信音量の設定、バイブレーション機能の設定のうち、いずれか一以上を行う、
ことを特徴とする請求項６に記載の携帯端末。
【手続補正２】
【補正対象書類名】明細書
【補正対象項目名】０００９
【補正方法】変更
【補正の内容】
【０００９】
請求項１の発明は、振動検出部を備えた携帯端末であって、前記振動検出部で振動を検出した時刻とその振幅とを記録する振動記録部と、予め定められた所定時間内の振動とその振幅とを前記振動記録部から抽出し、前記所定時間内における振動の回数を前記振動記録部に記録した情報に基づいて判定し、その振動の回数と前記所定時間内における振幅が基準値を超えた回数の双方を用いて前記携帯端末の所持者の移動状況を判定する移動状況判定部と、前記移動状況の変化にあわせて、着信音が鳴るか鳴らないかの設定、着信音量の設定、バイブレーション機能の設定のうち、いずれか一以上を行う着信音量設定部と、を有する携帯端末である。
【手続補正３】
【補正対象書類名】明細書
【補正対象項目名】００１３
【補正方法】変更
【補正の内容】
【００１３】
請求項３の発明は、振動検出部を備えた携帯端末であって、前記振動検出部で振動を検出した時刻とその振幅とを記録する振動記録部と、予め定められた所定時間内の振動とその振幅とを前記振動記録部から抽出し、前記所定時間内における振動の回数を前記振動記録部に記録した情報に基づいて判定し、且つ、前記所定時間における振幅が０になった時点と振幅とによって構成される、所定時間に対する任意の形状の面積を算出し、前記振動の回数と前記面積とを用いて前記携帯端末の所持者の移動状況を判定する移動状況判定部と、前記移動状況の変化にあわせて、着信音が鳴るか鳴らないかの設定、着信音量の設定、バイブレーション機能の設定のうち、いずれか一以上を行う着信音量設定部と、を有する携帯端末である。
【手続補正４】
【補正対象書類名】明細書
【補正対象項目名】００１５
【補正方法】変更
【補正の内容】
【００１５】
請求項４の発明は、振動検出部を備えた携帯端末であって、前記振動検出部で振動を検出した時刻とその振幅とを記録する振動記録部と、予め定められた所定時間内の振動とその振幅とを前記振動記録部から抽出し、前記所定時間内における振動の回数を前記振動記録部に記録した情報に基づいて判定し、且つ、前記所定時間における単位時間と振幅とによって構成される、所定時間に対する任意の形状の面積を算出し、前記振動の回数と前記面積とを用いて前記携帯端末の所持者の移動状況を判定する移動状況判定部と、前記移動状況の変化にあわせて、着信音が鳴るか鳴らないかの設定、着信音量の設定、バイブレーション機能の設定のうち、いずれか一以上を行う着信音量設定部と、を有する携帯端末である。
【手続補正５】
【補正対象書類名】明細書
【補正対象項目名】００１９
【補正方法】変更
【補正の内容】
【００１９】
請求項６の発明は、振動検出部を備えた携帯端末であって、前記振動検出部で振動を検出した時刻とその振幅とを記録する振動記録部と、予め定められた所定時間内の振動とその振幅とを前記振動記録部から抽出し、該振動における振幅と所定数前の振動における振幅との差の絶対値の総和と、前記所定時間内における振動の回数と、を用いて前記携帯端末の前記携帯端末の所持者の移動状況を判定する移動状況判定部と、前記移動状況の変化にあわせて、着信音が鳴るか鳴らないかの設定、着信音量の設定、バイブレーション機能の設定のうち、いずれか一以上を行う着信音量設定部と、を有する携帯端末である。